(57)【要約】      （修正有）【課題】  内部に導管があってもなくても大きな安定性を有する無モルタル自立塀を造ることができる建築用ブロックを提供する。【解決手段】  本建築用ブロックは、少なくとも１つの内部芯４２と、副または末端芯部４６と、１つの面から突き出ていて、前記内部芯の少なくとも１つの周囲の一部を形成する連結部５４とを有する。また、互いの端と端を接して且つ同じ高さで配置されたときに前記連結部を受容するための副芯または台座を形成する。互いの端と端を接して配置された建築用ブロックの第１列は、互いの端と端を接して配置された建築用ブロックの第２列に対して互い違いに配置されるとき、隣接するブロック列が連結するように、一方の建築用ブロック列の連結部５４と他方の建築用ブロック列の副芯部、末端芯部４６または相対的に大きい内部芯４２とをつがいにする。【選択図】  図２
2004218416.tif 000002
【特許請求の範囲】
【請求項１】
ａ）互いに反対側に配置され、互いに略平行に配置され、実質的に平らである第１および第２の荷重支持面と、
ｂ）互いに反対側に配置され、前記第１および第２の荷重支持面のそれぞれに交差している第１および第２の端部と、
ｃ）互いに反対側に配置され、互いに略平行に配置され、前記第１および第２の荷重支持面のそれぞれと前記第１および第２の端部のそれぞれに交差している、第１および第２の側面と、
ｄ）建築用ブロック内に形成されていて、前記荷重支持面に達するよう前記荷重支持面の間を渡って設けられていて、前記第１と第２の端部のそれぞれ、および、前記第１と第２の側面のそれぞれから一定の間隔を置いて配置されている、第１の内部芯と、
ｅ）前記第１と第２の各端部内に形成され、前記荷重支持面に達するよう前記荷重支持面の間を渡って設けられている末端芯部と、
ｆ）前記荷重支持面のうちの一つから突き出ていて、前記第１の内部芯の周囲の少なくとも一部を形成している連結部と、
を備え、
前記連結部と前記末端芯部は、一つの建築用ブロックの連結部が、直面する別の建築用ブロックの末端芯部を形成している表面と直面できるように形作られていて、
ｇ）互いに第１と第２の高さで建築用ブロックを互い違いに置くと同時に、第１の高さにある建築用ブロックの連結部を第２の高さにある建築用ブロックの末端芯部に据え付けることができるようになっている、
建築用ブロック。
【請求項２】
ａ）建築用ブロック内に形成されており、前記荷重支持面に達するよう前記荷重支持面の間を渡って設けられていて、前記第１と第２の端部のそれぞれ、前記第１と第２の側面のそれぞれ、および、前記第１の内部芯から一定の間隔を置いて配置されている、第２の内部芯をも備え、
ｂ）前記連結部のサイズは、前記連結部を前記第１の内部芯に据え付けることができない程に十分に大きいものであり、且つ、
ｃ）前記連結部のサイズは、前記連結部を前記第２の内部芯に据え付けることができる程に十分に小さいものである、
請求項１に記載の建築用ブロック。
【請求項３】
ａ）建築用ブロック内に形成されており、前記荷重支持面に達するよう前記荷重支持面の間を渡って設けられていて、前記第１と第２の端部のそれぞれ、前記第１と第２の側面のそれぞれ、および、前記第１の内部芯から一定の間隔を置いて配置されている、第２の内部芯をも備え、
ｂ）前記連結部の形状は、前記連結部を前記第１の内部芯に据え付けることができないような形状であり、且つ、
ｃ）前記連結部の形状は、前記連結部を前記第２の内部芯に据え付けることができるような形状である、
請求項１に記載の建築用ブロック。
【請求項４】
前記側面のそれぞれは、ざらつき化されたものである、請求項１に記載の建築用ブロック。
【請求項５】
鋳型から形成されていて、前記側面のそれぞれは、ざらざらとした表面となるように他の石造物から分割されたものである、請求項１に記載の建築用ブロック。
【請求項６】
前記端部のそれぞれは、前記側面に対して傾斜している面を含むものである、請求項１に記載の建築用ブロック。
【請求項７】
前記端部のそれぞれは、前記側面に対して傾斜した互いに平行な面を含むものである、請求項１に記載の建築用ブロック。
【請求項８】
前記端部のそれぞれは、前記側面に対して傾斜し且つ互いに傾斜した面を含むものである、請求項１に記載の建築用ブロック。
【請求項９】
前記内部芯、前記連結部、前記末端芯部のそれぞれは弓形の形状である、請求項１に記載の建築用ブロック。
【請求項１０】
前記連結部は、建築用ブロックを分割するための空間を定めるために互いに一定の間隔を置いて配置されている第１および第２の連結片を備えたものである、請求項１に記載の建築用ブロック。
【請求項１１】
実質的に平らである前記第１と第２の荷重支持面のそれぞれは、前記連結部、前記第１の内部芯および前記末端芯部を除いて、平らでない特徴を９９％有さないものである、請求項１に記載の建築用ブロック。
【請求項１２】
前記第１の荷重支持面の全ての点は、前記連結部、前記第１の内部芯および前記末端芯部を除いて、２つの平行な平面、すなわち、一定の距離だけ離されている基底面と最上面との間に含まれており、
前記第２の荷重支持面の全ての点は、２つの平行な平面、すなわち、一定の距離だけ離されている基底面と最上面との間に含まれていて、
前記一定の距離は、約８分の１インチよりも小さいものである、
請求項１に記載の建築用ブロック。
【請求項１３】
ａ）互いに反対側に配置され、互いに略平行に配置され、実質的に平らである第１および第２の荷重支持面と、
ｂ）互いに反対側に配置され、前記第１および第２の荷重支持面のそれぞれに交差している第１および第２の端部と、
ｃ）互いに反対側に配置され、互いに略平行に配置され、前記第１および第２の荷重支持面のそれぞれと前記第１および第２の端部のそれぞれに交差している、第１および第２の側面と、
ｄ）建築用ブロック内に形成されており、前記荷重支持面に達するよう前記荷重支持面の間を渡って設けられていて、前記第１と第２の端部のそれぞれ、および、前記第１と第２の側面のそれぞれから一定の間隔を置いて且つ互いに一定の間隔を置いて配置されていて、半径を有する、一対の第１の内部芯と、
ｅ）建築用ブロック内に形成されており、前記荷重支持面に達するよう前記荷重支持面の間を渡って設けられていて、前記第１と第２の端部のそれぞれ、および、前記第１と第２の側面のそれぞれから一定の間隔を置いて且つ前記第１の内部芯のそれぞれから一定の間隔を置いてそれらの中間に配置されていて、半径を有する、第２の内部芯と、
ｆ）前記第１と第２の各端部内に形成され、前記荷重支持面に達するよう前記荷重支持面の間を渡って設けられていて、半径を有する、末端芯部と、
ｇ）前記第１の内部芯のそれぞれの周囲にあり、前記荷重支持面のうちの一つから突き出ていて、他の建築用ブロックの第１の内部芯から排除されるように第１の内部芯の半径よりも大きく、かつ、他の建築用ブロックの末端芯部と第２の内部芯に据え付けることができるように末端芯部と第２の内部芯の半径よりも小さい外側の半径を有する連結部と、
を備え、
前記連結部のそれぞれと前記末端芯部は、一つの建築用ブロックの連結部の一つが、直面する別の建築用ブロックの末端芯部を形成している表面と直面できるように、且つ、前記建築用ブロックの他の連結部が前記第２の内部芯を形成している表面と直面できるように形作られていて、
ｈ）第１と第２の高さで建築用ブロックを互い違いに置くと、第１の高さにある建築用ブロックの連結部の１つを第２の高さにある建築用ブロックの末端芯部に据え付けると同時に、前記建築用ブロックの他の連結部を前記第２の高さにある前記建築用ブロックの第２の内部芯に据え付けることができるようになっている、
建築用ブロック。
【請求項１４】
前記側面のそれぞれは、ざらつき化されたものである、請求項１３に記載の建築用ブロック。
【請求項１５】
鋳型から形成されていて、前記側面のそれぞれは、ざらざらとした表面となるように他の石造物から分割されたものである、請求項１３に記載の建築用ブロック。
【請求項１６】
前記端部のそれぞれは、前記側面に対して傾斜している面を含むものである、請求項１３に記載の建築用ブロック。
【請求項１７】
前記端部のそれぞれは、前記側面に対して傾斜した互いに平行な面を含むものである、請求項１３に記載の建築用ブロック。
【請求項１８】
前記端部のそれぞれは、前記側面に対して傾斜し且つ互いに傾斜した面を含むものである、請求項１３に記載の建築用ブロック。
【請求項１９】
前記連結部の一つは、建築用ブロックを分割するための空間を定めるために互いに一定の間隔を置いて配置されている第１および第２の連結片を備えたものである、請求項１３に記載の建築用ブロック。
【請求項２０】
前記第２の内部芯は、建築用ブロックを分割するための補助として役立つ凹部を含む壁面によって形が決定されたものである、請求項１３に記載の建築用ブロック。
【請求項２１】
実質的に平らである前記第１と第２の荷重支持面のそれぞれは、前記連結部、前記第１の内部芯、前記第２の内部芯および前記末端芯部を除いて、平らでない特徴を９９％有さないものである、請求項１３に記載の建築用ブロック。
【請求項２２】
前記第１の荷重支持面の全ての点は、前記連結部、前記第１の内部芯、前記第２の内部芯および前記末端芯部を除いて、２つの平行な平面、すなわち、一定の距離だけ離されている基底面と最上面との間に含まれており、
前記第２の荷重支持面の全ての点は、２つの平行な平面、すなわち、一定の距離だけ離されている基底面と最上面との間に含まれていて、
前記一定の距離は、約８分の１インチよりも小さいものである、
請求項１３に記載の建築用ブロック。
【請求項２３】
ａ）互いに反対側に配置され、互いに略平行に配置され、実質的に平らである第１および第２の荷重支持面と、
ｂ）互いに反対側に配置され、前記第１および第２の荷重支持面のそれぞれに交差していて、一方が第１と第２の側面のそれぞれに対して略垂直であり、もう一方が第１と第２の側面のそれぞれに対して傾斜している平らな表面を一対含んでいる、第１および第２の端部と、
ｃ）互いに反対側に配置され、互いに略平行に配置され、前記第１および第２の荷重支持面のそれぞれと前記第１および第２の端部のそれぞれに交差している、第１および第２の側面と、
ｄ）建築用ブロック内に形成されており、前記荷重支持面に達するよう前記荷重支持面の間を渡って設けられていて、前記第１と第２の端部のそれぞれ、および、前記第１と第２の側面のそれぞれから一定の間隔を置いて配置されていて、半径を有する、第１の内部芯と、
ｅ）建築用ブロック内に形成されており、前記荷重支持面に達するよう前記荷重支持面の間を渡って設けられていて、前記第１と第２の端部のそれぞれ、前記第１と第２の側面のそれぞれ、および、前記第１の内部芯から一定の間隔を置いて配置されていて、半径を有する、第２の内部芯と、
ｆ）前記一対の平らな表面を有する前記端部内に形成され、前記平らな表面の中間にあり、前記荷重支持面に達するよう前記荷重支持面の間を渡って設けられていて、半径を有する、末端芯部と、
を備え、
ｇ）前記第１の内部芯の半径は、前記第２の内部芯および前記末端芯部の半径よりも小さく、
ｈ）前記第２の内部芯の半径は、前記末端芯部の半径とほぼ同じであり、
ｉ）前記第１の内部芯は、前記第２の内部芯と前記末端芯部との中間にある、
建築用ブロック。
【発明の詳細な説明】
【技術分野】
【０００１】
本発明は、自立する無モルタル塀を造るための建築用ブロックに関するものである。特に、連結部と、前記連結部から外の方に広がっている平らな表面とを有する建築用ブロックに関する。具体的には、隣接する下側の建築用ブロックの連結部に据え付けるために、少なくとも１つの芯と、建築用ブロックの各端部に形成された副芯部または末端芯部とを有する建築用ブロックに関する。
【背景技術】
【０００２】
改造車は、ほとんどトレッドがないかまたは全くトレッドのない幅広い平らなタイヤである、滑らかな表面を取り付けた後部車輪を有する。相対的に非常に多くの表面領域が加速のために道路をより多く引っつかむ。トレッドは引っつかみ量を減少させ、そのために加速の量を減少させる。
ＷＷＩＩ型ジープは、相対的にやせこけたタイヤで走る。タイヤがやせこけているほど、タイヤの一部の１平方インチあたりの圧力が大きくなってぬかるみや砂を掘り下げ、牽引力がより強くなる。
自動車技術においてよく知られている、平坦さと圧力との教訓を、建築用ブロック製造業者は見落としてきた。大多数の建築用ブロックには、様々な機能を奏するための凹部または溝がある。同様に、大部分の建築用ブロックには、様々な機能を奏するための延長部、突出部または小隆起部がある。時間的余裕がないと、これら建築用ブロックの凹部や延長部は、荷重を支える機能を建築用ブロックの他の部分に必然的に移動させることがよくある。そのような移動は、建築用ブロックの上記他の部分に過度の圧迫をかけたり、そのようなブロックや該ブロックで作られた塀のバランスを崩したりするかもしれない。
【発明の開示】
【発明が解決しようとする課題】
【０００３】
本発明の課題は、平坦さと圧力との教訓を正しく理解し、内部に導管があってもなくても大きな安定性を有する無モルタル自立塀を造ることができる建築用ブロックを提供することにある。
【課題を解決するための手段】
【０００４】
本発明にかかる建築用ブロックは、少なくとも１つの芯と、隣接する他の建築用ブロックと共に副芯を形成する一対の副芯部または末端芯部とを有する建築用ブロックにおいて、さらに、連結部を有すると共に、この連結部は、該建築用ブロックの荷重支持面から突き出ており、隣り合う高さに配置された隣接する他の建築用ブロックの副芯部での受容に適した芯の周囲の少なくとも一部を形成しているものである、ことを特徴とする。
本発明にかかる別の建築用ブロックは、少なくとも１つの芯と、隣接する他の建築用ブロックと共に副芯を形成する一対の副芯部または末端芯部とを有する建築用ブロックにおいて、さらに、連結部を有すると共に、この連結部は、該建築用ブロックの荷重支持面から突き出ており、隣り合う高さに配置された隣接する他の建築用ブロックの副芯部での受容に適した芯の周囲の少なくとも一部を形成していて、しかも、弓形で、継ぎ目なしに、前記芯の周囲に広がっているものである、ことを特徴とする。
【０００５】
本発明にかかるさらに別の建築用ブロックは、少なくとも１つの芯と、隣接する他の建築用ブロックと共に副芯を形成する一対の副芯部または末端芯部とを有する建築用ブロックにおいて、さらに、連結部と、第１および第２の荷重支持面とを有すると共に、前記連結部は、該建築用ブロックの荷重支持面から突き出ており、隣り合う高さに配置された隣接する他の建築用ブロックの副芯部での受容に適した芯の周囲の少なくとも一部を形成しているものであり、前記第１および第２の荷重支持面は、前記連結部を無視すると実質的に平らであり、かつ、互いに平行であるものである、ことを特徴とする。
本発明にかかる別の建築用ブロックは、少なくとも１つの芯と、隣接する他の建築用ブロックと共に副芯を形成する一対の副芯部または末端芯部とを有する建築用ブロックにおいて、さらに、連結部を有すると共に、この連結部は、該建築用ブロックの荷重支持面から突き出ており、隣り合う高さに配置された隣接する他の建築用ブロックの副芯部での受容に適した芯の周囲の少なくとも一部を形成していて、しかも、空間を開けて隔てられた第１および第２の連結部が形成されるように割りくさび部を有するものである、ことを特徴とする。
【０００６】
本発明にかかるさらに別の建築用ブロックは、少なくとも１つの芯と、隣接する他の建築用ブロックと共に副芯を形成する一対の副芯部または末端芯部とを有する建築用ブロックにおいて、さらに、連結部と、互いに反対側にある２つの側面とを有すると共に、前記連結部は、該建築用ブロックの荷重支持面から突き出ており、隣り合う高さに配置された隣接する他の建築用ブロックの副芯部での受容に適した芯の周囲の少なくとも一部を形成しているものであり、前記２つの側面は、それらの外観が美的デザインとなるようにざらつき化されたものである、ことを特徴とする。
本発明にかかるさらに別の建築用ブロックは、３つの芯一式と、隣接する他の建築用ブロックと共に副芯を形成する一対の副芯部または末端芯部とを有する建築用ブロックにおいて、さらに、連結部を有すると共に、前記連結部は、該建築用ブロックの荷重支持面から突き出ており、隣り合う高さに配置された隣接する他の２つの建築用ブロックのそれぞれの副芯部での受容に適した芯のうちの２つの各周囲の少なくとも一部を形成しているものである、ことを特徴とする。
【０００７】
本発明にかかるさらに別の建築用ブロックは、３つの芯一式と、隣接する他の建築用ブロックと共に副芯を形成する一対の副芯部または末端芯部とを有する建築用ブロックにおいて、さらに、連結部と、割りくさび部を有すると共に、前記連結部は、該建築用ブロックの荷重支持面から突き出ており、隣り合う高さに配置された隣接する他の２つの建築用ブロックのそれぞれの副芯部での受容に適した芯のうちの２つの各周囲の少なくとも一部を形成しているものであり、前記割りくさび部は、作業場でブロックを割るのを補助するために１つの芯の一部を形成しているものである、ことを特徴とする。
本発明にかかるさらに別の建築用ブロックは、３つの芯一式と、隣接する他の建築用ブロックと共に副芯を形成する一対の副芯部または末端芯部とを有する建築用ブロックにおいて、さらに、連結部と、割りくさび部を有すると共に、前記連結部は、該建築用ブロックの荷重支持面から突き出ており、隣り合う高さに配置された隣接する他の２つの建築用ブロックのそれぞれの副芯部での受容に適した芯のうちの２つの各周囲の少なくとも一部を形成しているものであり、前記割りくさび部は、作業場でブロックを割るのを補助するために連結部を横切っているものである、ことを特徴とする。
【０００８】
本発明にかかるさらに別の建築用ブロックは、３つの芯一式と、隣接する他の建築用ブロックと共に副芯を形成する一対の副芯部または末端芯部とを有する建築用ブロックにおいて、さらに、連結部を有すると共に、前記連結部は、該建築用ブロックの荷重支持面から突き出ており、隣り合う高さに配置された隣接する他の２つの建築用ブロックのそれぞれの副芯部での受容に適した芯のうちの２つの各周囲の少なくとも一部を形成しているものであり、前記２つの芯は、互いにサイズが異なり、一方は隣接する可能性のある他の建築用ブロックの連結部の据え付けを排除するのには十分に小さく、もう一方は隣接する他の建築用ブロックの連結部を据え付けるのには十分に大きいものである、ことを特徴とする。
【０００９】
本発明にかかるさらに別の建築用ブロックは、２つの芯一式と、一方の端部内に副芯部または末端芯部とを有する建築用ブロックにおいて、前記２つの芯は、互いにサイズが異なり、一方は隣接する可能性のある他の建築用ブロックの連結部の据え付けを排除するのには十分に小さく、もう一方は隣接する他の建築用ブロックの連結部を据え付けるのには十分に大きいものである、ことを特徴とする。
【発明の効果】
【００１０】
本発明の有利な点の一つは、安定性である。本発明の建築用ブロックは、自立する無モルタル塀を形成することができる。この塀は導管なしで高い安定性を有する。この有利な点に寄与する１つの特徴は連結部である。この有利な点に寄与する別の特徴は、最大限の表面領域に渡って均等に荷重が伝わるように荷重をかける上下の荷重支持面の平坦さである。
本発明の他の有利な点は、自立する無モルタル塀に導管を組み入れられることである。そのような塀が建てられるとき、芯は、その中に導管を配置できるように自然と一列に並べられる。
【００１１】
本発明の他の有利な点は、本連結部は、複数ある芯の一部のみに据え付けるだけで、他の芯には据え付けなくてもよいことである。そのような自然な選択と除外は、誤まりがなく且つ自己整列する塀を提供する。
他の有利な点は、建築用ブロックを特有の塀の基礎として使用してもよいことである。例えば、同一形状の建築用ブロックがまっすぐな塀またはカーブした塀のいずれかを形成できるように、連結部とそれとつがいになる副芯部または末端芯部とが組み立てられる。また、基礎となる同一形状の一式の建築用ブロックが、まっすぐな塀、カーブした塀、または、波形の塀を形成できるように、建築用ブロックの末端は斜めになっている。さらに、家の所有者が、その独自の角度や彎曲にするために、建築用ブロックの末端をノコギリで切ったり、または、割ったりするとき等のように、連結部とそれとつがいになる副芯部を回転により調整して連結してもよい。さらに、家の所有者が建築用ブロックの末端をノコギリで切るとき、連結用の建築用ブロックに凹部がまだ残されているように、副芯部は、建築用ブロック内に相対的に深く形成される
他の有利な点は、本発明の建築用ブロック一式で立てられた自立塀は、接着剤を使用しても使用しなくても安全であり、支柱を使用しても使用しなくても安全であり、建築中も安全であり、完成後も安全であり、多年にわたって安全である。例えば、本発明の建築用ブロックは、中空で、相対的に軽く、且つ、日曜大工の好きな家の所有者にとって取扱いやすいように、複数の内部芯と副（または末端）芯部とを有する。さらに、連結部は、横たえらせただけの建築用ブロックの動きを最小限にして、建設中に塀のぐらつきを最小限にする。さらに、いくつかの連結部は、作業場での調整ができるように割りくさび部を有する。また、支柱を芯のいずれかに差し込んでもよいし、あるいは、全く差し込まなくてもよい。
【００１２】
他の有利な点は、蛇行したまたはカーブした塀を組み立てるときに達成される構造上の安定な状態での建設能力である。
他の有利な点は、ジグザグ型の塀を組み立てるときに達成される構造上の安定な状態での建設能力である。
他の有利な点は、導管があってもなくても剛性を達成できることである。使用時には、導管の下部は地中に打ち込まれて、導管の上部が内部芯、すなわち、連結部の芯と対面する。
他の有利な点は、自立塀は次の家の所有者によって相対的に容易に取り除かれうることである。本発明の建築用ブロック一式で建てられた自立塀には、補強棒、支柱、接着剤、および、地中に相対的に深く掘られた穴のいずれも必要ない。さらに、本発明の建築用ブロックは適度に空洞があることにより、異なる趣味をもつ家主によって取り除かれなければならない量が最小限にされる。
【００１３】
他の有利な点は、本発明の建築用ブロックは製造するのに比較的安価であることである。
【発明を実施するための最良の形態】
【００１４】
本発明にかかる好ましい実施態様によれば、互いに反対側にある２つのざらざらとした側面を有する無モルタル自立塀の一部または複数部分に用いられる建築用ブロックの一組は、図１、図２Ａおよび図２Ｂで示される斜めブロック１０、図３Ａおよび図３Ｂで示される割りくさび部を有する斜めブロック１２、図５Ａおよび図５Ｂで示される伸張用ブロックまたは複列用ブロック１４、図６Ａおよび図６Ｂで示される中央芯に割りくさび部を有する伸張用ブロックまたは複列用ブロック１６、図７Ａおよび図７Ｂで示される１つの連結部に割りくさび部を有する伸張用ブロックまたは複列用ブロック１８、図９Ａおよび図９Ｂで示される角用ブロック、図１１Ａおよび１１Ｂで示される覆い用ブロック２２、および、図１３Ａおよび図１３Ｂで示される柱覆い用ブロック２４を含む。
【００１５】
＜斜めブロック１０＞
図１、図２Ａ，および、図２Ｂで示されるように、斜めブロック１０は、第１の荷重支持面３０、第２の荷重支持面３２、第１の端部３４、第２の端部３６、第１の側面３８、第２の側面４０を通常含む。斜めブロック１０は、円筒状または芯の壁面４４によって形が決められた第１の、中央の、内部の、または、主要の芯（主芯）４２と、円筒状または芯の壁面４８によって形が決められた副芯部、末端芯部、端部弓形凹部または座部４６と、円筒状または芯の壁面５２によって形が決められた副芯部、末端芯部、端部弓形凹部または座部５０と、主要の芯４２の周囲にある継ぎ目のない連結部５４とをさらに含む。斜めブロック１０の主芯４２を含む断面は、図２Ｃで示される。斜めブロック１０は、さらに、４つの角面または面取りした面５６、５８、６０および６２をも含む。
【００１６】
図２Ａおよび図２Ｂに示されるように、第１の荷重支持面３０は第２の荷重支持面３２の反対側に配置される。荷重支持面３０、３２のそれぞれは他の荷重支持面の平面に平行な平面上に配置される。荷重支持面３０、３２のそれぞれは、端部３４、３６と側面３８、４０を横切るかまたはそれと交差するように配向されている。通常、荷重支持面３０、３２のそれぞれは台形である。具体的には、荷重支持面３０、３２のそれぞれは、角面または面取りをした面５６、５８、６０および６２と、副壁面４８、５２を有する端部３４、３６と、側面３８、４０とによって形成された一組の１２辺に接している。
主芯４２は、斜めブロック１０の中央に形成されており、荷重支持面３０、３２のそれぞれに達するようそれぞれの間を渡って設けられている。主芯４２の中央を通る軸は側面３８と側面４０から等距離にあり、さらに端部３４の中心点と端部３６の中心点からも等距離にある。
【００１７】
主芯４２は内部にある芯である。すなわち、主芯４２は、第１と第２の側面３８、４０のそれぞれと第１と第２の端部３４、３６のそれぞれとから間隔を置いて配置されている。
副芯部４６、５０のサイズに整合させた主芯４２の直径またはサイズは、一組の斜めブロック１０を単独でまたは他の建築用ブロックと組み合わせて用いて自立塀を組み立てることができるように、斜めブロック１０の重量または質量を最小限にするのには十分大きく、且つ、斜めブロック１０に十分な質量と強度を提供するのには十分に小さい。
図２Ｄは、斜めブロック１０を使用して建てられた塀の一部を示している。前述した図２Ａ〜２Ｃとこの図２Ｄとからわかるように、継ぎ目のない連結部５４は、直に隣り合う高さに配置された隣接する斜めブロック１０の副芯部４６、５０の壁面４８、５２等のような、隣接する建築用ブロックの副芯部４６、５０の壁面４８、５２の１つと協力するためにカーブまたは弓形の形状となるように、第１の荷重支持面３０の主芯４２の周囲に広がっている。そのようなカーブまたは弓形の形状、または、より好ましくは円形状、最も好ましくは継ぎ目のない円形状は、ブロック１０、１０間の連結を維持しながら他の建築用ブロック１０に対して斜めブロック１０の回転による調整を可能にする。建築用ブロック１０は、互いに対面している副芯部４６、５０が副芯４９を形成して、直に隣接する高さで斜めブロック１０等の建築用ブロックの継ぎ目のない連結部５４の受容部を形成するように同じ高さで隣接した２つのブロックが端と端を接して（好ましくは接着剤を使用しないで）配置されているときに、連結する。
【００１８】
断面図２Ｃから、継ぎ目のない連結部５４は、円筒状の壁４４と平行につながり、かつ、調和している円筒状の壁表面部分７０と、円筒状壁表面部分７０から外の方に続き、荷重支持面３０と略平行に拡がっている上部の繋ぎ目のない表面部分７２と、上部の繋ぎ目のない表面部分７２から荷重支持面３０まで次第に先細になっている、先細の、または、斜めに切られた継ぎ目のない表面７４とを含む。さらに、図２Ｄに示されているように、継ぎ目のない連結部５４用の座部は、２つの副芯部４６、５０によって形成された副芯４９である。このような副芯４９、すなわち座部は、図２Ａ〜２Ｃにみるように、面３２等の第２の荷重支持面に対して垂直に広がっている壁面４８、５２等の副芯部壁面を含む。先細の、または、斜めに切られた継ぎ目のない表面７４は、継ぎ目のない連結部５４を副芯部４６、５０の壁面４８、５２と一列に並べる際の補助になる。継ぎ目のない連結部５４の半径は、先細の、または、斜めに切られた継ぎ目のない表面７４と荷重支持面３０との交差点で測定すると、副芯壁面４８、５２等の副芯壁面の半径と実質的に等しく、好ましくはそれよりもわずかに小さい。継ぎ目のない連結部５４は、斜めブロック１０の１つの構成要素であり且つ必須であるため、斜めブロック１０と同時に成型または形成される。
【００１９】
端部３４は、端部３６と反対側に配置される。端部３４は、第１の略平らな表面または面８０と第２の略平らな表面または面８２とを含み、その平らな表面８０、８２のそれぞれは、荷重支持面３０、３２に対して垂直に広がっている。副芯部４６は平らな表面８０、８２の中間に形成される。平らな表面８０、８２は、側面３８、４０のそれぞれに対して傾斜している平面内に位置する。端部３６は、第１の略平らな部分８４と第２の略平らな表面８６とを含み、平らな表面８４、８６のそれぞれは、荷重支持面３０、３２に対して垂直に広がっている。副芯部５０は平らな表面８４と８６との間に形成される。平らな表面８４、８６は、側面３８、４０のそれぞれに対して傾いている平面内に位置する。平らな部分８０、８２が配置されている平面は、平らな部分８４、８６が配置されている平面に対して傾斜している。平らな部分８０、８２、８４、８６のそれぞれは、面３０、３２と側面３８、４０を横切るかまたはそれと交差するように配向されている。互いに傾斜している端部３４、３６のお陰で、一組の斜めブロック１０は、単独でまたはその他のブロックと組み合わせて、カーブしたブロック列、または、まっすぐなブロック列のいずれか一方または両方の組み合わせを形成することができる。たとえば、波形または蛇行したブロック列を形成できる。図１６Ａで示されるように、連続的にカーブしているブロック列は、側面３８のそれぞれが対面するか、または、その他の側面３８のそれぞれと揃えられたときに形成される。図１５Ａで示されるように、まっすぐなブロック列は、あるブロックの側面３８が直ぐ隣のブロックの側面４０内に延び、今度は、この側面４０がその直ぐ隣のブロックの側面３８内に延びるようにブロックが前後に配置されるときに形成される。このようなパターンは所望の長さまで続けられる。波形のブロック列は、カーブした列部とまっすぐな列部との何らかの組み合わせにより形成してもよい。
【００２０】
斜めブロック１０の側面３８、４０は、互いに反対側に配置される。側面３８、４０のそれぞれは、通常、他の側面の平面に略平行である平面内に配置される。側面３８、４０のそれぞれは、荷重支持面３０、３２と端部３４、３６を横切るかまたはそれと交差するように配向されている。側面３８、４０は、自立塀の外側の垂直面を形成する。側面３８、４０は、両面がざらざらとした塀を形成するようにざらつき化されていることが好ましい。
＜割りくさび部を有する斜めブロック１２＞
図３Ａと図３Ｂで示されるように、斜めブロック１２は、連結片９４を有する不連続な連結部９２を形成するように連結部を横切る分割用の空間、切れ目、または、凹部９０を有する以外は、斜めブロック１０と同一である。連結片９４のそれぞれは、分割用の空間９０を形成するように他の連結片９４の端部または端部面９６から一定の間隔を置かれている一対の端部または端部面９６を有する。空間９０は荷重支持面３０と３２のそれぞれに達するようそれぞれの間にまで及んでいる。空間９０は内部芯４２に面して続いている。
【００２１】
空間９０は、作業場等において、面３０、３２に対して実質的に垂直に通っている平面９８に沿って少なくとも２つの部分に斜めブロック１２を分割するための目印または補助である。彫刻刀や他の楔形状の道具やノコギリなどで一度分割すると、右側まっすぐのブロックと左側まっすぐのブロックが形成される。部分１００、１０２のそれぞれが、該部分めいめいの側面３８と側面４０に対して垂直で且つ該部分めいめいの表面８０、８２と表面８４、８６に対して傾いている平面９８沿いに形成された面を有するように、部分またはブロック１００は左側まっすぐの建築用ブロックを形成し、部分またはブロック１０２は右側まっすぐの建築用ブロックを形成する。
【００２２】
斜めブロック１２は作業場での部分変更を必要としない。入手できないのであれば、繋ぎ目のない連結部５４を有する斜めブロック１０が好ましい。しかし、斜めブロック１０は利用できない場合は、斜めブロック１２を斜めブロック１０の代わりに用いてもよい。
＜斜めブロック１０と１２用の鋳型のレイアウト＞
ざらざらとした表面または粗い石造り表面を側面３８、４０に形成する好ましい方法は、図４で示されるように、背中合わせに成型されたブロックを、面を分割する機械などで分割することによるものである。例えば、鋳型箱１０３は、２つの異なるブロック１０の側面３８が背中合わせとなるように、且つ、２つの異なるブロック１０の側面４０が背中合わせとなるように、設置されている。その後、ブロック１０は、ざらつきを作り出すために側面３８と側面４０に沿って分割される。
【００２３】
図４において、鋳型部は、参照番号１０４で示され、例えば、少なくとも荷重支持面３０、３２と、壁面４８および表面８０、８２を含む第１の端部３４と、壁面５２および表面８４、８６を含む第２の端部３６と、円筒状の壁面４４と、連結部５４の円筒状の壁面部７０と、連結部５４の上部表面７２と、先細かあるいは斜めに切られている表面７４と、面取りした面５６，５８，６０および６２と、連結片９４が形成されていれば、端部または端部面９６、および、連結片９４の中間にまで及んでいる荷重支持面３０の一部とに対面する。
図４において、余分の石造部分は参照番号１０６で示され、それらめいめいの面３８または４０から分割される。
【００２４】
＜伸張用ブロックまたは複列用ブロック１４＞
伸張用または複列用ブロック１４は、図５Ａと図５Ｂで示される。複列用ブロック１４は、第１の荷重支持面１１０と、第２の荷重支持面１１２と、第１の端部１１４と、第２の端部１１６と、第１の側面１１８と、第２の側面１２０とを含む。
伸張用ブロック１４は、円筒状または芯の壁面１２４によって形が決められた中央または比較的大きい第２の内部芯１２２と、その比較的大きい第２の内部芯１２２の両側に、円筒状または芯の壁面１３０、１３２それぞれによって形が決められた一対の比較的小さい第１の内部芯１２６、１２８とをさらに含む。
【００２５】
伸張用ブロック１４は、円筒状または芯の壁面１３６によって形が決められた副もしくは末端芯部、端部の弓形の凹部、または、台座１３４と、円筒状または芯の壁面１４０によって形が決められた副もしくは末端芯部、端部の弓形の凹部、または、台座１３８とをさらに含む。
伸張用ブロック１４は、比較的小さい内部芯１２６の周囲に継ぎ目のない連結部１４２と、比較的小さい内部芯１２８の周囲に継ぎ目のない連結部１４４とをさらに含む。
伸張用ブロック１４は、４つの角面または面取りした面１４６、１４８、１５０、１５２をさらに含む。
【００２６】
第１の荷重支持面１１０は第２の荷重支持面１１２と反対側に配置される。荷重支持面１１０、１１２のそれぞれは、他の荷重支持面の平面に平行な平面内に配置される。荷重支持面１１０、１１２のそれぞれは、端部１１４、１１６を横切るかまたはそれと交差するように配向されている。通常、荷重支持面１１０、１１２のそれぞれは、平行四辺形である。具体的には、荷重支持面１１０、１１２のそれぞれは、角面または面取りした面１４６、１４８、１５０および１５２と、副壁面または凹部１３６、１３８を有する端部１１４、１１６と、側面１１８、１２０とによって形成された一組の１２辺に接している。
中央芯（内部芯）１２２は伸張用ブロック１４の中央に形成され、荷重支持面１１０、１１２のそれぞれに達するようそれぞれの間を渡って設けられている。中央芯１２２の中心を通っている軸は側面１１８と側面１２０から等距離にあり、さらに端部１１４の中心点と端部１１６の中心点からも等距離にある。
【００２７】
比較的小さい内部芯１２６、１２８の直径またはサイズと整合させるとともに、副芯部１３４、１３８の直径またはサイズとも整合させた中央芯１２２の直径またはサイズは、伸張用ブロック１４の重量または質量を最小限にするのには十分大きく、且つ、伸張用ブロック１４に十分な質量と強度を与えるのには十分小さい。一組の伸張用ブロック１４を単独で用いるかまたは他の建築用ブロックと組み合わせて自立塀を作り上げることができる。
芯１２２、１２６および１２８のそれぞれは、内部芯である。すなわち、芯１２２、１２６、１２８のそれぞれは、第１または第２の側面１１８、１２０のそれぞれから一定の間隔を置いて配置されているとともに、端部１１４、１１６のそれぞれからも一定の間隔を置いて配置されている。芯１２２、１２６および１２８同士も、互いに一定の間隔を置いて配置されている。
【００２８】
継ぎ目のない連結部１４２、１４４のそれぞれは、直に隣接する高さに配置されている隣接した建築用ブロックの副芯の壁面の一つと協力するために、カーブまたは弓形の形状となるように、第１の荷重支持面１１０上の内部芯１２６と１２８のそれぞれの周囲にまで及んでいる。このようなカーブまたは弓形の形状、より好ましくは円形状、最も好ましくは継ぎ目のない円形状は、ブロック間の連結を維持しながら、互いに対面している建築用ブロック間の回転による調整を可能とする。伸張用ブロック１４は、互いに対面している副芯部が副芯を形成して、直に隣接している高さにある継ぎ目のない連結部１４２の一つに対する受容部を形成するように２つの隣接したブロックが互いの端と端とを接して（好ましくは接着剤を使用せずに）配置されているときに、他の建築用ブロックと連結する。
【００２９】
継ぎ目のない連結部１４２、１４４は、形状においては継ぎ目のない連結部５４と同一であり、円筒状の壁面１３０、１３２のそれぞれに平行につながり且つ調和している円筒状の壁表面部分１５４と、円筒状の壁表面部分１５４から外の方に延び且つ荷重支持面１１０と平行に広がっている上部の継ぎ目のない環状の表面部分１５６と、この表面部分１５６から第１の荷重支持面１１０まで次第に先細になっている先細または斜めに切られている継ぎ目のない表面１５４とを含む。
継ぎ目のない連結部１４２、１４４のための一つの台座は、互いに対面している２つの副芯部によって形成された副芯である。そのような副芯または台座は、斜めブロック１０や斜めブロック１２の壁面４８と５２や、伸張用ブロック１４、伸張用ブロック１６および伸張用ブロック１８の壁面１３６と１４０、角用ブロック２０の副芯部の壁面等のような、副芯部壁面を含む。これらの副芯部壁面は、面１１２等の第２の荷重支持面に対して垂直に広がっている。
【００３０】
継ぎ目のない連結部１４２、１４４のもう一つの台座は主芯（内部芯）１２２の円筒状の壁面１２４である。主芯１２２の円筒状の壁面１２４もまた、継ぎ目のない連結部５４、不連続な連結部９２、または、任意の連結片９４のための台座である。
継ぎ目のない連結部１５４のように、継ぎ目のない連結部１４２と１４４は、それを副芯部の壁面と一列に並べる際の補助になる先細または斜めに切られている継ぎ目のない表面１５４を含む。継ぎ目のない連結部５４のように、継ぎ目のない１４２と１４４のそれぞれは、副芯部壁面４８、５２、１３６および１４０等の副芯部壁面の半径と実質的に等しいか、好ましくはそれよりもわずかに小さい半径を有する。ここで、上記半径は、先細の表面１５６と第１の荷重支持面１１０との交差部で測定したものである。継ぎ目のない連結部１４２と１４４は、継ぎ目のない連結部１４２と１４４が伸張用ブロック１４の一つの構成要素であり且つ必須であるため、伸張用ブロック１４と同時に成型または形成される。
【００３１】
端部１４４は端部１１６の反対側に配置される。端部１１４は、第１面または略平らな表面１６０と、第２の面または略平らな表面１６２とを含む。平らな表面１６０、１６２のそれぞれは、荷重支持面１１０、１１２に対して垂直に広がっている。副芯部１３４は平らな表面１６０、１６２の中間に形成される。平らな表面１６０、１６２は側面１１８、１２０のそれぞれに対して傾いている平面内に位置する。
端部１１６は第１の面または略平らな表面１６４と、第２の面または略平らな表面１６６とを含む。平らな表面１６４、１６６のそれぞれは荷重支持面１１０、１１２に対して垂直に広がっている。副芯部１３８は平らな表面１６４、１６６の中間に形成される。平らな表面１６４、１６６は、側面１１８、１２０のそれぞれに対して傾いている平面内にある。
【００３２】
一対の平らな表面１６０、１６２が位置する平面は一対の平らな表面１６４、１６６が位置する平面と平行である。
平らな部分１６０、１６２、１６４、１６６のそれぞれは、面１１０、１１２と側面１１６、１１８を横切るかまたはそれと交差するように配向されている。
平行な平らな表面を有する端部１１４、１１６のお陰で、互いに端と端とを接して配置された伸張用ブロック１４は、まっすぐなラインまたはまっすぐな塀部を形成する。このようなまっすぐな塀部においては、端部１１４、１１６が平行な平らな表面を有するので、側面１１８は、互いに一列に並べてもよいし、あるいは、側面１２０と一列に並べてもよい。
【００３３】
このようなまっすぐな塀部の上面には、下側にあるブロック１４の継ぎ目のない連結部１４２、１４４の一つを上側のまっすぐな塀部の互いに対面している２つの副芯部１３４と１３８によって形成された副芯に据え付けるように、かつ、上側のブロック１４の継ぎ目のない連結部１４２、１４４のもう一つを上側のブロック１４の中央芯１２２に据え付けるようにして、他の伸張用ブロック１４を互い違いの関係で配置してもよい。
伸張用ブロック１４は、ブロック１０、１２、１４、１６、１８および２０によって形成される塀にカーブを与えるために、または、この塀に波状もしくは蛇行したパターンを与えるために、斜めブロック１０、１２と組み合わせて使用してもよい。
【００３４】
伸張用ブロック１４の側面１１８、１２０は、互いに反対側に配置される。側面１１８、１２０のそれぞれは、通常、他の側面の平面に略平行な平面内に配置される。側面１１８、１２０のそれぞれは、荷重支持面１１０、１１２と端部１１４、１１６を横切るかまたはそれと交差するように配向されている。側面１１８、１２０は、自立塀の外側垂直面を形成する。側面１１８、１２０は、両面がざらざらとした塀が形成されるようにざらつき化されていることが好ましい。
＜主芯に割りくさび部を有する伸張用ブロックまたは複列用ブロック１６＞
図６Ａと図６Ｂで示されるように、伸張用ブロック１６は、中央芯１２２に一対の割りくさび部または凹部１７０があることを除いて、伸張用ブロック１４と同一である。割りくさび部１７０は、お互いに一列に並べられているとともに、荷重支持面１１０、１１２と側面１１８、１２０に対して垂直に広がった平面内に配置されている。凹部１７０のそれぞれは第１または第２の荷重支持面１１０、１１２に達するようそれら荷重支持面の間を渡って設けられている。凹部１７０のそれぞれは、中央芯１２２に通じているか、あるいは、それに面している。
【００３５】
割りくさび部１７０は、伸張用ブロック１６の作業場での部分変更のための補助として役に立つ。すなわち、一対の割りくさび部１７０によって決められた平面に沿ってブロック１６を分割することによって、左側まっすぐのブロックまたはブロック部１７２と、左側まっすぐのブロックまたはブロック部１７４が形成される。新しく形成されたブロック１７２、１７４は、連結部用の副壁面部または座部を有している。
ここで留意すべきことは、伸張用ブロック１６は、作業場での部分変更を必要とせず、しかも、要望があれば、伸張用ブロック１４と同様の方法で使用してもよいということである。
【００３６】
＜１つの連結部に割りくさび部を有する伸張用ブロックまたは複列用ブロック１８＞
図７Ａと図７Ｂで示されるように、伸張用ブロック１８は、一対の連結片１８４、１８６を有する不連続な連結部１８２を形成するための割りくさび部１８０（または凹部１８０）を除いて、伸張用ブロック１４と同一である。
不連続な連結部１８２は、割りくさび部、空間または凹部１８０を形成できるようにするために他の連結片１８６の端部または端部面１８８から一定の間隔を置いて配置されている一対の端部または端部面１８８を、一つの連結片１８４が有するようにするために、不連続な連結部９２と同様のものである。空間１８０は荷重支持面１１０、１１２のそれぞれに達するようそれぞれの間を渡って開けられている。空間１８０は、内部芯１２８に面し且つ通じている。
【００３７】
割りくさび部１８０は、伸張用ブロック１８を、その４分の１の断片または左側まっすぐのブロック１９０と４分の３の断片または右側が直線のブロック１９２とに分割するための目印または補助部である。空間１８０は、面１１０、１１２と側面１１８、１２０に対して垂直に広がった平面上で互いに一列に並べられている。ブロック１９０、１９２は、一度分割すると、面１１０、１１２と側面１１８、１２０に対して垂直に広がった端部面を有するようになる。
ここで留意すべきことは、伸張用ブロック１８は、作業場での部分変更を必要とせず、しかも、要望があれば、伸張用ブロック１４と同様の方法で使用してもよいということである。
【００３８】
＜伸張用ブロック１４、１６、１８用の鋳型のレイアウト＞
図８で示されるように、側面１１６、１１８にざらざらとした表面または粗い石造表面を形成する好ましい方法は、互いに背中合わせで成型された１つ以上の伸張用ブロック１４、１６および１８を、例えば面を分割する機械等で分割する方法である。例えば、ブロック１４、１６の側面が分割によって形成される場合、および、ブロック１４、１８の側面が分割によって形成される場合に、鋳型箱１９４は、伸張用ブロック１４、伸張用ブロック１６および伸張用ブロック１８からなるレイアウトを含む。ブロック１６の一つの側面は、余分の石造部分１９６と分割することによって形成される。ブロック１８の一つの側面は、余分の石造部分１９８と分割することによって形成される。ブロック１４、１６、１８の他の部分は鋳型部分２００に直面し、ブロック１４、１６、１８のこれら他の部分には、少なくとも面１１０、１１２と、端部１１４、１１６と、中央芯１２２の円筒状の壁面１２４と、相対的に小さい内部芯１２６と１２８の円筒状の壁面１３０、１３２と、連結部１４２、１４４と、面取りした面１４６、１４８、１５０、１５２と、ブロック１６においては、凹部１７０、さらに、ブロック１８においては、凹部１８０とが含まれる。
【００３９】
＜角用ブロック２０＞
図９Ａと９Ｂで示されるように、角用ブロック２０は通常、第１の荷重支持面２０２と、第２の荷重支持面２０４と、第１の端部２０６、第２の端部２０８と、第１の側面２１０、第２の側面２１２とを含む。角用ブロック２０は、円筒状の壁面２１６によって形が決められた中央、主または内部芯２１４と、円筒状の壁面２２０によって形が決められた内部芯２１８とをさらに含む。角用ブロック２０は、荷重支持面２０２、２０４に対して垂直な平面内に配置されている４つのコーナー面または面取りした面２２２、２２４、２２６、２２８をさらに含む。
【００４０】
第１の荷重支持面２０２は、第２の荷重支持面２０４の反対側に配置されている。荷重支持面２０２、２０４のそれぞれは、他の荷重支持面の平面に平行な平面内に配置される。荷重支持面２０２、２０４のそれぞれは、端部２０６、２０８を横切るかまたはそれと交差するように配向されている。通常、荷重支持面２０２、２０４のそれぞれは台形である。具体的には、荷重支持面２０２，２０４のそれぞれは、面取りした面２２２、２２４、２２６、２２８と、平らな端部２０６と、副芯部を有する端部２０８と、側面２１０、２１２とによって形成された一組の１０辺に接している。
中央芯２１４は通常、角用ブロック２０の中央に形成され、荷重支持面２０２と２０４のそれぞれに達するようそれぞれの間を渡って設置されている。中央芯２１４の中心を通る軸は、側面２１０と２１２から等距離にあり、さらに、通常、端部２０６と２０８からも等距離にある。
【００４１】
より具体的には、中央芯２１４の中心を通る軸２２９と、内部芯２１８の中心を通る軸２３１とは、軸２３１と軸２３３との間の距離と等しい距離だけ互いに一定の間隔を置かれている。軸２３３は端部２０８の副芯部（末端芯部）２３０の中心を通っている。副芯部２３０は、円筒状の壁面２３２によって形が決められている。
そのような軸２２９と軸２３１との間と軸２３１と軸２３３との間の設定距離もまた、１）斜めブロック１０と１２の芯４２の軸と副芯部４６、５０のそれぞれの軸との間、２）伸張用ブロック１４、１６および１８の中央芯１２２の軸と内部芯１２６と１２８のそれぞれの軸との間、３）伸張用ブロック１４、１６および１８の内部芯１２６の軸と副芯部１３８の軸との間、４）伸張用ブロック１４、１６および１８の内部芯１２８の軸と副芯部１３４の軸との間の各設定距離である。
【００４２】
内部芯２１８と組み合わせての中央芯２１４の直径またはサイズは、一組の角用ブロックが、単独でまたは他の建築用ブロックと組みあわせて、自立塀を形成することができるように、角用ブロック２０の重量または質量を最小限にするのには十分大きく、且つ、角用ブロック２０に十分な質量と強度を与えるのには十分小さい。
角用ブロック２０は、連結部５４等の連結部を含まない。しかし、内部芯２１８の円筒状の壁面２２０の直径は、導管が内部芯２１８と他のブロック１０、１２、１４、１６、１８および２０の芯に通せるように、１）斜めブロック１０と１２の円筒状の壁面４４と７０；２）伸張用ブロック１４、１６および１８の円筒状の壁面１３０、１３２と同じである。
【００４３】
ここでさらに留意すべきことは、中央芯２１４の円筒状の壁面２１６は、副芯部２３０と同じ半径であり、この半径は、１）斜めブロック１０、１２の副芯部４６、５０の半径；２）伸張用ブロック１４、１６、１８の中央芯１２２と副芯部１３４と１３８の半径、とも同じ半径であることである。
さらに留意すべきことは、中央芯２１４は、他の中央芯または主芯のように、切れずに繋がっている連結部または１つ以上の連結片のための台座であることである。
さらに留意すべきことは、副芯部２３０は、他の副芯部のように、切れずに繋がっている連結部または１つの連結片のための台座であることである。
【００４４】
端部２０６は、端部２０８と反対側に配置される。端部２０６は、平らであり、かつ、荷重支持面２０２、２０４と側面２１０、２１２に対して垂直な平面内にある。端部２０８は、第１の平らな表面２３４と、第２の平らな表面２３６とを含む。これら平らな表面２３４、２３６のそれぞれは、荷重支持面２０２、２０４に対して垂直に広がっている。副芯部２３０は、平らな表面２３４、２３６の中間に形成されている。平らな表面２３４、２３６は、側面２１０、２１２のそれぞれと、平らな端部２０６が位置する平面とに対して傾斜している平面内にある。平らな表面２３４、２３６のそれぞれは、面２０２、２０４と側面２１０、２１２を横切るかまたはそれと交差するように配向されている。
【００４５】
角用ブロック２０は、平らな端部２０６と、連結台座または副芯部２３０を有する傾斜した端部２０８とのお陰で、角の一部または自立塀の端部を形成していてもよい。平らな端部２０６は角の末端部分または自立塀の端部となりうる。そのため、そのような自立塀または建築用ブロック列は、傾斜した端部２０８から延びていてもよい。
角用ブロック２０の側面２１０、２１２は互いに反対側に配置される。側面２１０、２１２のそれぞれは、通常、他の側面の平面に略平行である平面内に配置される。側面２１０、２１２のそれぞれは、荷重支持面２０２、２０４と端部２０６、２０８を横切るかまたはそれと交差するように配向されている。側面２１０、２１２と平らな端部２０６は、自立塀の外側の垂直面を形成し、ざらざらとした角または端部で両面がざらざらとした塀を形成するように、ざらつき化されているのが好ましい。
【００４６】
角用ブロック２０は、表側を上にしてまたは逆さまにして使用してよい。言い換えれば、荷重支持面のいずれかが他方の荷重支持面よりも上にあればよいのである。同様に、ブロック１０、１２、１４、１６および１８は、荷重支持面のいずれかを高くして使用すればよい。
＜角用ブロック用の鋳型のレイアウト＞
図１０で示されるように、角用ブロック２０用の鋳型のレイアウト２４０は、１つ以上のざらざらとした側面２１０、２１２を形成するための分割線または分割平面２４２を有する３つの角用ブロック２０を含む。２つの分割平面２４２は余分の石造部分２４４から角用ブロック２０を分ける。
【００４７】
鋳型のレイアウト２４０は、平らな端部２０６を形成し、且つ、余分な石造部分２４８から平らな端部２０６を分けるための分割線または分割平面２４６をさらに含む。
角用ブロック２０の残りの部分は、鋳型部２５０と直面するとともに、これらの他の部分は、少なくとも、荷重支持面２０２、２０４と、副芯部２３０を有する端部２０８と、中央の比較的大きい芯２１４の円筒状の壁面２１６と、内部の比較的小さい芯２１８の円筒状の壁面２２０と、面取りした面２２２、２２４、２２６および２２８とを含む。
＜覆い用ブロック２２＞
図１１Ａと１１Ｂで示されるように、覆いまたは覆い用ブロック２２は、最上部の建築用ブロックまたは建築用ブロック列１０、１２、１４、１６、１８および／または２０の上に配置される。覆い２２は、互いに傾斜していて、且つ、共に平面であるか、または、好ましくは、覆い２２を斜めブロック１０または１２の上面上に配置するときに斜めブロック１０、１２の端部３４と３６をわずかに越えて延びている２つの端部２６０と２６２を含む。覆い２２は、中間に溝２７２を有する２つの平らな部分２６８、２７０を含む下面２６６とは反対側にある平らな上面２６４をさらに含む。平らな部分２６８、２７０は、平らな上面２６４が位置する平面に略平行である平面内に配置される。覆い２２は、互いに反対側にあり、互いに平行で、かつ、平らな部分２６８、２７０に対して垂直に広がっている平面内に配置されている側面２７４、２７６をさらに含む。溝２７２は、継ぎ目のない連結部５４、不連続の連結部９２、継ぎ目のない連結部１４２、１４４および不連続な連結部１８２等の連結部の受容部である。覆い２２が建築用ブロックの一つにはめ込まれると、先細の溝部分２７８は、そのような連結部またはその連結片の先細部分に直面する。
【００４８】
ここで留意すべきことは、覆い２２の幅（側面２７４と２７６との間の距離）は、覆い２２が建築用ブロック１０，１２、１４、１６、１８および２０の上に張り出すようにするために、これらの建築用ブロックのいずれの幅（該ブロックの側面間の距離）よりも大きいということである。
ここで留意すべきことは、覆い２２は、それぞれの建築用ブロック上に直接配置されていてもいなくてもよいが、直ぐ下側にある建築用ブロックに対して互い違いの様式で配置してもよいということである。言い換えれば、建築用ブロック列において、隣接した建築用ブロックの２つの端部が互いに直面する箇所でラインが形成されるということである。覆い２２は、隣接したブロックが互いに直面する位置を隠すために、そのようなラインの真上に直接配置されてもよい。
【００４９】
図１８Ａは、一つの覆い用ブロック２２の側面２６０が他の覆い用ブロック２２の側面２６２と直面するように、まっすぐな塀部の覆いを形成するために配置されている覆い用ブロック２２を示している。
＜覆い用ブロックの鋳型のレイアウト＞
図１２で示されるように、覆いまたは覆い用ブロック２２はざらつきがないことが好ましい。したがって、４つの覆いまたは覆い用ブロック２２が形成される鋳型のレイアウト２８０においては、覆い用ブロック２２は互いに一定の距離を置いて配置され、どこにも割れ目は形成されない。鋳型部分２８２は覆いまたは覆い用ブロック２２のいずれの表面にも直面している。
【００５０】
＜柱覆い用ブロック２４＞
柱覆い用ブロック２４は図１３Ａ、１３Ｂおよび１３Ｃで示される。柱覆い用ブロック２４は、長方形の平らな上部表面２８４と、この上部表面から下方かつ外方に至る３つ一組の傾斜表面２８６、２８８、２９０とを含む。表面２８６は全長側面２９２に至り、表面２８８と２９０はそれぞれ半分の長さの側面２９４と２９６に至る。表面２８８と２９０はさらに背側面２９８に至る。柱覆い用ブロック２４は、さらに、平らな底面３００を含む。
背側面２９８が互いに対面するように２つの柱覆い用ブロック２４が互いに背中合わせに配置されるとき、一つの柱覆いが、柱３１２（建設途中では図１７Ｂで示される）等の柱の一番上に配置されるように形成される。そのような柱覆いは、正方形の平らな最上部表面を含み、この最上部表面は、２つの表面２８４と、該最上部表面から下方かつ外方に至る４つの傾斜表面とによって形成されている。４つの傾斜した表面のうちの２つは２つの表面２８６であり、他の２つは、一つの表面２９０に対面している１つの表面２８８と、別の表面２９０に対面している別の表面２８８とによって形成されている。これによって、柱用覆いは冠の外観を有する。このような冠の表面は、軽い固定物を載せるために使用してもよい前記正方形の平らな表面に向かって上方に収束しているそのような４つの傾斜したまたは台形の領域によって形が決められている。柱覆い用建築ブロック２４は、柱の上部の平らな表面上に接着されるかあるいは他の方法で固定されるのが好ましい。そのような柱は、角用ブロック２０によって、または、建築用ブロック１０，１２、１４、１６、１８および２０を組み合わせることによって形成されるのが最も好ましい。柱覆い用ブロック２４は、柱の、１つ、２つ、３つまたは４つの側面を越える広さを持つ程に十分な長さと幅を有することが好ましい。
【００５１】
＜柱覆い用ブロックの鋳型のレイアウト＞
柱覆い用ブロック２４の鋳型３００は、図１４に示される。柱覆い用ブロック２４はざらつき部分を含まないことが好ましい。したがって、柱覆い用ブロック２４のすべての表面は、鋳型３００または鋳型部分３０２に直面させられる。
＜まっすぐな塀＞
図１５Ａは、一組の斜めブロック１０によって形成されたまっすぐな塀部を示す。このようなまっすぐな塀部または斜めブロック１０の下側の列において、一つの斜めブロック１０の相対的に短い第１の側面３８は、隣接したブロックの相対的に長い側面４０に対面し、次いで、この側面４０が他の斜めブロック１０の相対的に短い第１の側面３８に対面する。斜めブロック１０の上側の列は、斜めブロック１０の下側の列の継ぎ目のない連結部５４が対面している上側の斜めブロック１０の副芯部４６、５０と直面することによって形成された副芯に据え付けられるように、斜めブロックの上側の列を斜めブロック１０の長さの半分の距離だけオフセットする（ずらす）ことによって示されるまっすぐな塀部と連結してもよい。
【００５２】
図１５Ｂは、伸張用ブロック１４によって形成されたまっすぐな塀部を示す。伸張用ブロック１４の他のまっすぐな塀部は、初めに述べたもしくは下側のまっすぐな塀部の上に配置してもよい。２番目に述べたもしくは上側のまっすぐな塀部は、下側のまっすぐな塀部の伸張用ブロック１４の連結部１４２、１４４が上側の建築用ブロックの中央芯１２２と副芯部１３４と１３８に据え付けられるように、下側のまっすぐな塀部から伸張用ブロックの４分の１の距離だけオフセットされている（離して配置されている）。このようなオフセットと連結部が伸張用ブロック１４の各列を延長している。
＜カーブした塀＞
図１６Ａは、斜めブロック１０によって形成されたカーブした塀部もしくは上側列を示す。斜めブロック１０の相対的に短い側面３８が互いに対面し、斜めブロック１０の相対的に長い側面４０が互いに対面している。斜めブロック１０の上側列は、下側列の継ぎ目のない連結部５４が、上側列の副芯部４６、５０によって形成された副芯に据え付けられるように斜めブロック１０の２分の１の距離だけ上側列をオフセットする（ずらす）ことによって下側列と連結されている。
【００５３】
図１６Ｂは、「逆さまに」配置された斜めブロック１０、伸張用ブロック１４、ブロック１０２（ブロック１２を作業場で部分変更したもの）および角用ブロック２０によって形成されたカーブした塀部を示す。ここで留意すべきことは、さまざまな種類の異なる傾斜のカーブが、異なるブロックやそれらを作業場で部分変更したものの異なる端部と対面することによって形成されていてもよいことである。
＜角＞
図１７Ａに示される角用塀部３１０等の角用塀部は、角用ブロック２０（２つの側面と端部がざらざらとしている）を、作業場で部分変更したブロックや４分の３のブロック１９２と併用することによって形成してもよい。角用ブロック２０のそれぞれと作業場で部分変更されたブロック１９２は角３１０が形成されるように互い違いに配置される。１つ以上の斜めブロック１０、斜めブロック１２と、伸張用ブロック１４と、伸張用ブロック１６と、伸張用ブロック１８（すべて、２つの側面がざらざらとしている）とが角３１０（または角用ブロック／作業場で部分変更されたブロックの組み合わせ）から延びていてもよい。角用ブロック２０は角用塀部の外側の角を形成し、残りのブロックは、連結部５４、９２、１４２、１４４および１８２（連結片１８４、１８６を含む）等の１つ以上の連結部で角用ブロック２０につながれる。角用塀部がひっくり返るのに対する抵抗力を与えるために、支柱が、ブロックの一列に並べられた芯に差し込まれ、さらに地中にも差し込まれる。
【００５４】
＜柱＞
図１７Ｂは、角用ブロック２０によって形成された石造の柱３１２を示す。柱３１２の側面のそれぞれは、一つの角用ブロック２０の側面２１２と他の角用ブロック２０の端部２０６とが互い違いに配置された層によって形成される。角用ブロック２０を互いに連結するために接着剤および／または導管を使用してもよい。一本の導管が、互いに一列に並べられた内部芯２３１、および／または、互いに一列に並べられた中央芯２１４と副芯部２３０を通って延びていてもよい。
石造の柱３１２のそれぞれは、柱の覆いを形成するように互いに端と端とを接して配置された一対の柱覆い用ブロック２４を含む。柱の覆いは、柱の側面からやや張り出すのに十分大きいものが好ましい。
【００５５】
＜導管＞
図１８Ａに示されるように、使用されることがある図１８Ａに示されるような導管３２０は、鋼鉄製の管状の導管であってもよく、好ましくは約１と８分の３インチの外径を有するものでもよい。導管の外径は、導管が本発明のあらゆる他のブロックと対面するときには、継ぎ目のない連結部５４等の本発明の連結部の内径よりわずかに小さいか、または、等しいのが好ましい。言い換えれば、導管は一つのブロックの連結部を通って延び且つそれと直面し、その直後、直ぐ隣のブロックの主芯または副芯部を通って延び、さらにその直後、次の高さにある次のブロックの連結部を通って延び且つそれと直面する。
【００５６】
このような導管は、作業場において容易にパイプカッターによって切断される。導管は、塀または塀の一部が約３フィートまたは約４フィートの高さより高くなる場合に好適であることがある。
＜ランダムな外観＞
図１８Ｂは、本発明の塀部がどのようにしてランダムな外観となりうるかを示している。このような塀は、１つ以上の斜めブロック１０と、１つ以上の斜めブロック１２および／またはその作業場での部分変更物と、１つ以上の伸張用ブロック１４と、１つ以上の伸張用ブロック１６および／またはその作業場での部分変更物と、１つ以上の伸張用ブロック１８および／またはその作業場での部分変更物と、１つ以上の角用ブロック２０と、１つ以上の覆い用ブロック２２とを有する。
【００５７】
さらに、ランダムな外観における１つ以上のブロックは、実際にブロックが伸張用ブロック１４等の完全なブロックであるときに半ブロックの外観を与えるために表面に形成された切れ目３３０を有していてもよい。このような切れ目３３０の形成に関しては、次の米国特許がそっくりそのまま参照して取り入れられる。すなわち、「Dry Stackable Structures」のタイトルで２０００年７月４日に発行されたBott米国特許第６，０８２，０６７号、および、「Method of Producing Stackable Concrete Blocks」のタイトルで２００１年１１月２７日に発行されたBott米国特許第６，３２２，７４２号である。
＜蛇行した塀＞
蛇行または波形の塀は、１）カーブした塀の組み合わせ、２）まっすぐな塀の組み合わせ、および／または、３）カーブした塀とまっすぐな塀の組み合わせによって形成されうる。例えば、図１９Ａは、図１６Ａで示されたカーブした塀部によって形成された蛇行塀部３４０を示す。蛇行塀部３１０は、一つの完全な「波長」用に１０個の斜めブロック１０を使用するが、わずか４個の斜めブロック１０を蛇行塀部３４０の一つの完全な「波長」用に使うことができる。１０個の斜めブロック１０による第２の「波長」は、図１９Ａに示される波形列３４０の最上面に連結する形式で配置してもよい。１０個の斜めブロックの第２の「波長」は、第２の「波長」の副芯部が第１の「波長」の連結部５４内に据え付けられるように、波形列３４０から一つの斜めブロック１０の長さ２分の１の距離だけオフセットされている（離して配置されている）。
【００５８】
蛇行した塀の別の種類は、図１９Ｂに示される。ジグザグ型の蛇行塀部３５０は、図１７Ａに示される角３１０等のいくつかの角を含む。ここで、第２の「波長」は塀部３５０の最上面に配置してもよい。それぞれの角３１０のために、角用ブロック２０は、作業場で部分変更されたブロック１９２が角３１０を互いに連結するようにするために、それぞれの角３１０に関して図１７Ａに示されるように互い違いに並べられる。
図１９Ａと図１９Ｂに示された以外の本発明のブロックは、蛇行した塀またはジグザグ状の塀を形成するために使用してもよい。
蛇行した塀は、他のすべての要素が同じである場合、まっすぐの塀と比較して、相対的に高い安定性を有する。例えば、まっすぐな塀が単に塀の縦の長さに沿ってのみ安定性を有するにすぎないと考えてよいのに対し、蛇行した塀は縦と横の両方向に安定性を有する。
【００５９】
＜塀の安定性＞
本発明にかかるブロックを１つ以上使用することによって形成された塀の安定性は、以下の特徴のうちの１つ以上によってもたらされる。１）ブロックの連結と据え付けの特徴。２）塀に使われるブロックの質量。３）ブロックの上面と下面の平坦さ。４）塀の形状、特に、蛇行状、ジグザグ状または「階段機能」状の塀が建てられる場合。５）芯内を下方に通り抜け且つ地面に打ち込まれた上述の導管。
＜塀の安定性−ブロックの連結＞
連結と据え付けの特徴については、下部のブロックの連結部（５４、９２、９４、９６、１４２、１４４、１８２、１８４、１８６）を、上部のブロックの相対的に大きな芯（１２２、２１４）と、上部のブロックの副芯部（４６、５０、１３４，１３８，２３０）によって形成された副芯とに据え付けることができる。ここで留意すべきことは、相対的に小さな芯（４２、１２６、１２８、２１８）は、連結部の外側の直径または半径よりも小さい（より小さい直径または半径を有する）ため、連結部の据え付け部（座部）を提供できないことである。芯４２、１２６、１２８、および２１８は、連結部を排除する芯である。芯１２２、２１４は、連結部を受容するか、もしくは、連結部を据え付ける芯である。副芯は、例えば、それらのサイズまたは形状等によって、連結部を受容するか、もしくは、連結部を据え付ける芯となる。連結部は、このような相対的に小さい芯４２、１２６、１２８および２１８に嵌め込むことが出来ない。これによって、適切な連結具合がわからなかった塀の組み立て人に注意を与える。言い換えれば、異なる高さで隣接するブロック間の唯一の適切な合わせ具合は、自動的に一列に並ぶ連結具合である。さらに言い換えれば、仮に、下側のブロック列上にブロックの一つを配置する際に、丁度置かれるブロックの下面が下側の列の上面に対して平らであれば、上記組立人が連結具合を確かだと想定できる。さらに言い換えると、異なる高さで隣接するブロックは、仮に人が連結部に対して連結芯を据え付けようとしても、連結しない。
【００６０】
＜塀の安定性−ブロックの質量と密度＞
ブロックの質量または重量については、ブロックの密度が、１立方フィートあたり、約１２０ポンドから約１４０ポンドの範囲であることが好ましく、約１２５ポンドから約１４０ポンドであることが更に好ましく、約１３０ポンドから約１４０ポンドであることが最も好ましい。ブロックの重量は、家主がブロックを取り扱うことができる（例えば、平均的な力を有する成人女性または成人男性が地面から約３フィートまたは約４フィートの位置まで持ち上げられる）のに十分軽いことが好ましい。ブロックの重量は、出来るだけ大きい安定性を塀に与えることができるように出来るだけ重いことが好ましい。
【００６１】
＜塀の安定性−荷重支持面の平坦さ＞
連結部または連結片を考慮に入れないとして、ブロック（１０、１２、１４、１６、１８、２０）の上面（３０、１１０、２０２）と下面（３２、１１２、２０４）は、出来るだけ平らであることが好ましい。言い換えれば、これら上面と下面は、連結部、芯および副芯部を除き、凹部や突き出た部分がないことが好ましい。さらに言い換えれば、連結部、芯や副芯部を考慮に入れなければ、上記上面と下面は、上記のような平らでない特徴が９０％ないことが好ましく、９５％ないことが更に好ましく、９９％ないことがより更に好ましく、９９．９％ないことが最も好ましい。平坦さを考慮する際、セメントブロックの標準的な粗い表面とそのようなセメントブロックの表面の通常の刻み目とを考慮にいれない。標準的な粗い表面と通常の刻み目を与えると、前記上面と下面は、凹部、溝、切り込み、突き出た部分、小隆起、うね、または、平らな表面から外れる他のあらゆる特徴のない、実質的に平らになる。そのような平坦さは、下方向の荷重または力を塀全体にわたって均等にかかるようにするか、あるいは、分散し、これによって、相対的に大きな安定性を与える。平坦さとは、「上側の表面のすべての点が、特定された距離よりも大きくない距離だけ離された２つの平行な平面、すなわち、基底面と最上面との間に含まれていることと、さらには、下側の表面の全ての点が、特定された距離よりも大きくない距離だけ離された２つの平行な平面、すなわち、基底面と最上面との間に含まれていること」をも意味する。上記のような特定の距離は、約４分の１インチよりも小さいことが好ましく、約８分の１インチより小さいことがより好ましく、約１６分の１インチより小さいことが更に好ましく、約３２分の１インチより小さいことが最も好ましい。平坦さはさらに、下面がある平面に平行である平面内に上面があることを意味する。
【００６２】
最大限に平坦にされているブロックは、縦と横方向における摩擦を最小限にすることもできる。これは、塀の建築中にブロックが塀から落ちたりもしくは滑り落ちるという危険を最小限にする。そのうえ、ブロックが地上に打ち付けて割れてしまうという危険も最小限にする。
＜ブロックの組成＞
ブロック１０、１２、１４、１６、１８、２０、２２、２４のそれぞれは、ほとんどすべての種類のコンクリート混合物または充填物によって形成してよい。該混合物または充填物は、ブロックの所望の強度、所望の水吸収性、所望の密度、所望の収縮度およびその他の物理的特性を含むいくつかの因子によって決まる。ブロック用のセメント接合混合物には、セメント、フライアッシュ、水、砂、砂利、岩、可塑剤、防水剤、架橋剤、染料、着色剤、顔料の１種以上を含むことができる。
【００６３】
＜ブロックの露出表面＞
本発明にかかるブロックの露出表面、例えば、斜めブロック１０の側面３８、４０や、伸張用ブロック１４、１６，１８の側面１１８、１２０や、角用ブロック２０の側面２１０、２１２と端部２０６等には、仕上げ加工が施されていることが好ましい。該仕上げ加工表面は、ざらつき化されていてもいなくてもよい。仕上げ加工表面は、古代の美術様式にしてもよいし、しなくてもよい。ざらつき化された仕上げ加工表面が好ましい。図４，８，１０の鋳型レイアウト等の本発明の鋳型レイアウトを用いてざらつき化された仕上げ加工表面がより好ましい。
【産業上の利用可能性】
【００６４】
本発明にかかる建築用ブロックは、自立する無モルタル塀を造るために好適に用いることができる。本発明に従った塀の建造は、個々の構成単位またはブロックの様式または組み合わせ具合に基づいて仕上げられた塀の２つの垂直な表面を有する機会を与える。この特徴は、機能的であり且つ建築上魅力的である構造の基盤を引き出す。
【図面の簡単な説明】
【００６５】
【図１】図１は、本発明にかかる、継ぎ目のない連結部を有する斜めブロックの斜視図である。
【図２】図２Ａは、図１の斜めブロックの上面図である。図２Ｂは、図２Ａの斜めブロックの側面図である。図２Ｃは、図２Ａの斜めブロックの断面図である。図２Ｄは、図２Ａの斜めブロックを用いて建てられた塀の一部の斜視図である。
【図３】図３Ａは、本発明にかかる、連結部に割りくさび部を有する斜めブロックの上面部である。図３Ｂは、図３Ａの斜めブロックの側面図である。
【図４】図４は、図２Ａと図３Ａの斜めブロックの鋳型配置の上面図である。
【図５】図５Ａは、本発明にかかる、一対の継ぎ目のない連結部を有する伸張用ブロックの上面図である。図５Ｂは、図５Ａの伸張用ブロックの側面図である。
【図６】図６Ａは、本発明にかかる、中心芯に割りくさび部を有する伸張用ブロックの上面図である。図６Ｂは、図６Ａの伸張用ブロックの側面図である。
【図７】図７Ａは、本発明にかかる、連結部の１つに割りくさび部を有する伸張用ブロックの上面図である。図７Ｂは、図７Ａの伸張用ブロックの側面図である。
【図８】図８は、図５Ａ，図６Ａおよび図７Ａの伸張用ブロックの鋳型配置の上面図である。
【図９】図９Ａは、本発明にかかる、角用ブロックの上面図である。図９Ｂは、本発明にかかる、角用ブロックの側面図である。
【図１０】図１０は、図９Ａの角用ブロックの鋳型配置の上面図である。
【図１１】図１１Ａは、本発明にかかる、覆い用ブロックの上面図である。図１１Ｂは、図１１Ａの覆い用ブロックの側面図である。
【図１２】図１２は、図１１Ａの覆い用ブロックの鋳型配置の上面図である。
【図１３】図１３Ａは、本発明にかかる、柱覆い用ブロックの上面図である。図１３Ｂは、図１３Ａの柱覆い用ブロックの端面図である。図１３Ｃは、図１３Ａの柱覆い用ブロックの側面図である。
【図１４】図１４は、図１３Ａの柱覆い用ブロックの鋳型配置の上面図である。
【図１５】図１５Ａは、図２Ａの斜めブロックを使用しているまっすぐな塀の部分の上面図である。図１５Ｂは、図５Ａの伸張用ブロックを使用しているまっすぐな塀の部分の上面図である。
【図１６】図１６Ａは、図２Ａの斜めブロックを使用しているカーブした塀の部分の上面図である。図１６Ｂは、図２Ａの斜めブロック、図３Ａの斜めブロックの一部、図５Ａの伸張用ブロック、および、図９Ａの角用ブロックを使用しているカーブした塀の部分の斜視図である。
【図１７】図１７Ａは、図９Ａと図９Ｂの角用ブロックによって形成された塀の角の一部の斜視図を示す。図１７Ｂは、図９Ａと図９Ｂの角用ブロックによって形成されたブロック建築の柱の斜視図を示す。
【図１８】図１８Ａは、塀のひっくり返りに対する抵抗のための導管を使用している塀の一部を示す側面図である。図１８Ｂは、本発明にかかるブロックを使用している塀に、どのようにして任意の外観を提供することができるかを示す側面図である。
【図１９】図１９Ａは、比較的に高い安定性を有する蛇行した塀の一部の上面図である。図１９Ｂは、高い安定性を有する他のタイプの蛇行した塀またはジグザグ状の塀の一部の上面図である。
【符号の説明】
【００６６】
１０、１２              斜めブロック（建築用ブロック）
３０、３２              荷重支持面
３４、３６              端部
３８、４０              側面
４２                    内部芯
４６、５０              末端芯部
５４、９２              連結部
９４                    連結片
１４、１６、１８        伸張用ブロック
１１０、１１２          荷重支持面
１１４、１１６          端部
１１８、１２０          側面
１２２、１２６、１２８  内部芯
１３４、１３８          末端芯部
１４２、１４４、１８２  連結部
１８４、１８６          連結片
１７０、１８０          凹部
２０                    角用ブロック
２０２、２０４          荷重支持面
２０６、２０８          端部
２１０、２１２          側面
２１４、２１８          内部芯
２３０                  末端芯部
【図１】
2004218416.tif 000003
【図２】
2004218416.tif 000004
【図３】
2004218416.tif 000005
【図４】
2004218416.tif 000006
【図５】
2004218416.tif 000007
【図６】
2004218416.tif 000008
【図７】
2004218416.tif 000009
【図８】
2004218416.tif 000010
【図９】
2004218416.tif 000011
【図１０】
2004218416.tif 000012
【図１１】
2004218416.tif 000013
【図１２】
2004218416.tif 000014
【図１３】
2004218416.tif 000015
【図１４】
2004218416.tif 000016
【図１５】
2004218416.tif 000017
【図１６】
2004218416.tif 000018
【図１７】
2004218416.tif 000019
【図１８】
2004218416.tif 000020
【図１９】
2004218416.tif 000021